【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
医用画像表示装置上で表示されるように構成された医用画像を取り込む工程;
前記医用画像に関連した記述データを取り込む工程;
データ処理装置上で、前記医用画像と前記医用画像に関連した前記記述データとを処理する工程;および
前記医用画像と前記医用画像に関連した前記記述データとをデータ記憶装置に記憶する工程
を含む方法。
【請求項２】
患者の全放射線写真歴を構成する医用画像とリンク可能な各医用画像とを含む複合医用報告書を生成する工程をさらに含む、請求項1記載の方法。
【請求項３】
記述データが音声データを含む、請求項1〜2のいずれか一項記載の方法。
【請求項４】
データ処理装置上で医用画像を処理し、かつデータ処理装置上で記述データを処理する工程が、前記画像の描写と前記記述データの描写とを有するグラフィカル・ユーザ・インターフェースを表示する工程、および前記画像を前記記述データとリンクするためのユーザコマンドを受け取る工程をさらに含む、請求項1〜3のいずれか一項記載の方法。
【請求項５】
医用画像を処理する工程が、一つまたは複数のリンク可能な画像と関連付けられた医用画像記述データにリンクされた複数のリンク可能な医用画像に応答して疾患進行を自動的に追跡する工程を含む、請求項1〜4のいずれか一項記載の方法。
【請求項６】
医用画像を処理する工程が、前記医用画像と前記医用画像に関連した記述データとに応答して、固形腫瘍の効果判定基準（Response Evaluation Criteria in Solid Tumors）（RECIST）値を自動的に計算する工程を含む、請求項1〜5のいずれか一項記載の方法。
【請求項７】
医用画像を処理する工程が、前記医用画像の特徴と前記医用画像と関連付けられた記述データとに応答して病期を自動的に判定する工程を含む、請求項1〜6のいずれか一項記載の方法。
【請求項８】
実行されると、コンピュータに、
医用画像表示装置上で取り込まれた医用画像を受け取ることと、
前記医用画像に関連した記述データを受け取ることと、
データ処理装置上で前記医用画像と前記医用画像に関連した前記記述データとを処理することと、
前記医用画像と前記医用画像に関連した前記記述データとをデータ記憶装置に記憶することと
を含む動作を実施させる命令を有するコンピュータ可読媒体を含む有形のコンピュータプログラム製品。
【請求項９】
医用画像と異なる検査からのリンク可能な医用画像とがリンク基準に従ってリンクされる、請求項8記載の有形のコンピュータプログラム製品。
【請求項１０】
動作が、医用画像と前記医用画像にリンクされたリンク可能な医用画像のうちの少なくとも一つとを含む複合医用報告書を生成することをさらに含む、請求項8〜9のいずれか一項記載の有形のコンピュータプログラム製品。
【請求項１１】
動作が、患者の全放射線写真歴を構成する医用画像とリンク可能な各医用画像とを含む複合医用報告書を生成することをさらに含む、請求項8〜10のいずれか一項記載の有形のコンピュータプログラム製品。
【請求項１２】
実行されると、コンピュータに、
医用画像表示装置上で医用画像を取り込むことと、
前記医用画像に関連した記述データを取り込むことと、
前記医用画像と前記医用画像に関連した前記記述データとを、データ処理装置上で前記医用画像と前記医用画像に関連した前記記述データとを処理し、かつ前記医用画像と前記医用画像に関連した前記記述データとをデータ記憶装置に記憶するように構成された処理装置に伝達することと
を含む動作を実施させる命令を有するコンピュータ可読媒体を含む有形のコンピュータプログラム製品。
【請求項１３】
医用画像と前記医用画像に関連した記述データとを受け取るように構成されたインターフェースと、
前記医用画像と前記医用画像に関連した前記記述データとを処理するように構成された、前記インターフェースに結合された処理装置と、
前記医用画像と前記医用画像に関連した前記記述データとを記憶するように構成された、前記処理装置に結合されたデータ記憶インターフェースと
を含む装置。
【請求項１４】
医用画像を表示するように構成された医用画像表示装置と、
前記医用画像を取り込むように構成された、前記医用画像表示装置に結合された画像取込みユーティリティと、
ユーザから記述データを収集するように構成されたユーザインターフェース装置と、
前記医用画像と前記医用画像に関連した前記記述データとを、データ処理装置上で前記医用画像と前記医用画像に関連した前記記述データとを処理し、かつ前記医用画像と前記医用画像に関連した前記記述データとをデータ記憶装置に記憶するように構成された処理装置に伝達するように構成された、画像取込み装置と前記ユーザインターフェース装置とに結合された通信アダプタと
を含む装置。
【請求項１５】
ユーザインターフェース装置が音声記録装置を含む、請求項14記載の装置。
【請求項１６】
医用画像と前記医用画像に関連した記述データとを受け取るように構成されたインターフェースと、
前記医用画像と前記医用画像に関連した前記記述データとを処理するように構成された、前記インターフェースに結合された処理装置と、
前記医用画像と前記医用画像に関連した前記記述データとを記憶するように構成された、前記処理装置に結合されたデータ記憶インターフェースと
を含むサーバ;
前記医用画像と前記医用画像に関連した前記記述データとを受け取りかつ記憶するように構成された、前記データ記憶インターフェースに結合されたデータ記憶装置;ならびに
医用画像を表示するように構成された医用画像表示装置と、
前記医用画像を取り込むように構成された、前記医用画像表示装置に結合された画像取込みユーティリティと、
ユーザから記述データを収集するように構成されたユーザインターフェース装置と、
前記医用画像と前記医用画像に関連した前記記述データとを前記サーバに伝達するように構成された、前記画像取込み装置と前記ユーザインターフェース装置とに結合された通信アダプタと
を含み、前記サーバと前記データ記憶装置との少なくとも一方に結合された医用画像ビューア
を含むシステム。
【請求項１７】
医用画像と前記医用画像に関連した記述データとに応答してサーバによって生成される、患者の全放射線写真歴を単一のグラフィカルビューに含むメディアベースの報告書を受け取るように構成された報告書ビューアをさらに含む、請求項16記載のシステム。
【手続補正２】
【補正対象書類名】明細書
【補正対象項目名】００３８
【補正方法】変更
【補正の内容】
【００３８】
[本発明1001]
医用画像表示装置上で表示されるように構成された医用画像を取り込む工程;
前記医用画像に関連した記述データを取り込む工程;
データ処理装置上で、前記医用画像と前記医用画像に関連した前記記述データとを処理する工程;および
前記医用画像と前記医用画像に関連した前記記述データとをデータ記憶装置に記憶する工程
を含む方法。
[本発明1002]
データ記憶装置内の医用画像と前記医用画像に関連した記述データとの間のデータ結合を作成する工程をさらに含む、本発明1001の方法。
[本発明1003]
医用画像を患者識別子にリンクする工程をさらに含む、本発明1001〜1002のいずれかの方法。
[本発明1004]
医用画像を一つまたは複数のリンク可能な医用画像にリンクする工程をさらに含む、本発明1001〜1003のいずれかの方法。
[本発明1005]
医用画像とリンク可能な医用画像とが共通の検査に従ってリンクされる、本発明1001〜1004のいずれかの方法。
[本発明1006]
医用画像と異なる検査からのリンク可能な医用画像とがリンク基準に従ってリンクされる、本発明1001〜1005のいずれかの方法。
[本発明1007]
医用画像を課金コードにリンクする工程をさらに含む、本発明1001〜1006のいずれかの方法。
[本発明1008]
医用画像を含む複合医用報告書を生成する工程をさらに含む、本発明1001〜1007のいずれかの方法。
[本発明1009]
医用画像と前記医用画像にリンクされたリンク可能な医用画像のうちの少なくとも一つとを含む複合医用報告書を生成する工程をさらに含む、本発明1001〜1008のいずれかの方法。
[本発明1010]
患者の全放射線写真歴を構成する医用画像とリンク可能な各医用画像とを含む複合医用報告書を生成する工程をさらに含む、本発明1001〜1009のいずれかの方法。
[本発明1011]
複合医用報告書が、医用画像と前記医用画像に関連した記述データの少なくとも一部分とを含む表を含む、本発明1001〜1010のいずれかの方法。
[本発明1012]
複合医用報告書が、関連付けられる画像所見が付されたホムンクルス（homunculus）を含むグラフィカルな報告書を含む、本発明1001〜1011のいずれかの方法。
[本発明1013]
複合医用報告書が、医用画像とリンク可能な医用画像のうちの少なくとも一つとを含むタイムラインを含むグラフィカルな報告書を含む、本発明1001〜1012のいずれかの方法。
[本発明1014]
医用画像表示装置が画像保管通信システム（Picture Archiving and Communication System）（PACS）を含む、本発明1001〜1013のいずれかの方法。
[本発明1015]
医用画像表示装置が、著作権のある医用画像データ形式に従って構成された医用画像を表示するように構成されている、本発明1001〜1014のいずれかの方法。
[本発明1016]
記述データが音声データを含む、本発明1001〜1015のいずれかの方法。
[本発明1017]
記述データがビデオデータを含む、本発明1001〜1016のいずれかの方法。
[本発明1018]
記述データがテキストを含む、本発明1001〜1017のいずれかの方法。
[本発明1019]
記述データが、
一つまたは複数の視線位置;および
一つまたは複数の視線停留時間
を含む視線追跡データを含む、本発明1001〜1018のいずれかの方法。
[本発明1020]
記述データが、ポインタ位置とポインタクリックとの少なくとも一方を含む、本発明1001〜1019のいずれかの方法。
[本発明1021]
医用画像を処理する工程が、診断画像構成部分を分離するために取り込まれた医用画像を自動的にトリミングする工程を含む、本発明1001〜1020のいずれかの方法。
[本発明1022]
医用画像を処理する工程が、光学式文字認識（Optical Character Recognition）（OCR）ユーティリティを用いて前記医用画像からテキスト情報を抽出する工程、および前記医用画像と関連付けられた前記抽出テキストをデータ記憶装置に記憶する工程を含む、本発明1001〜1021のいずれかの方法。
[本発明1023]
データ処理装置上で医用画像を処理し、かつデータ処理装置上で記述データを処理する工程が、前記画像の描写と前記記述データの描写とを有するグラフィカル・ユーザ・インターフェースを表示する工程、および前記画像を前記記述データとリンクするためのユーザコマンドを受け取る工程をさらに含む、本発明1001〜1022のいずれかの方法。
[本発明1024]
グラフィカル・ユーザ・インターフェースがタイムラインを含む、本発明1001〜1023のいずれかの方法。
[本発明1025]
サーバ上で画像を処理し、かつサーバ上で記述データを処理する工程が、視線位置と視線停留時間との少なくとも一方に応答して前記画像を前記記述データと自動的にリンクする工程をさらに含む、本発明1001〜1024のいずれかの方法。
[本発明1026]
特定の視線位置における視線停留時間が閾値に達したことに応答して画像取込みを自動的にトリガする工程を含む、本発明1001〜1025のいずれかの方法。
[本発明1027]
医用画像の特徴と関連付けられる、以前の検査所見を表示する半透明のポップアップウィンドウを表示する工程を含む、本発明1001〜1026のいずれかの方法。
[本発明1028]
医用画像を処理する工程が、前記医用画像に対して画像マッチングアルゴリズムを実行して、前記医用画像と関連付けられる一意のディジタル署名を生成する工程を含む、本発明1001〜1027のいずれかの方法。
[本発明1029]
医用画像を処理する工程が、自動定量化ツールを用いて前記医用画像の特徴を定量化する工程を含む、本発明1001〜1028のいずれかの方法。
[本発明1030]
医用画像を処理する工程が、一つまたは複数のリンク可能な画像と関連付けられた医用画像記述データにリンクされた複数のリンク可能な医用画像に応答して疾患進行を自動的に追跡する工程を含む、本発明1001〜1029のいずれかの方法。
[本発明1031]
医用画像を処理する工程が、前記医用画像と前記医用画像に関連した記述データとに応答して、固形腫瘍の効果判定基準（Response Evaluation Criteria in Solid Tumors）（RECIST）値を自動的に計算する工程を含む、本発明1001〜1030のいずれかの方法。
[本発明1032]
医用画像を処理する工程が、前記医用画像の特徴と前記医用画像と関連付けられた記述データとに応答して病期を自動的に判定する工程を含む、本発明1001〜1031のいずれかの方法。
[本発明1033]
医用画像と関連付けられた記述データが前記医用画像と関連付けられたラベルを含む、本発明1001〜1032のいずれかの方法。
[本発明1034]
ラベルが医用画像の特徴と関連付けられる、本発明1001〜1033のいずれかの方法。
[本発明1035]
自然言語処理アルゴリズムに従って分離された音声クリップからラベルを決定する工程を含む、本発明1001〜1034のいずれかの方法。
[本発明1036]
画像に現れているテキストの光学式文字認識からラベルを決定する工程を含む、本発明1001〜1035のいずれかの方法。
[本発明1037]
ユーザから受け取られるコンピュータ入力からラベルを決定する工程を含む、本発明1001〜1036のいずれかの方法。
[本発明1038]
重複する医用画像がデータ記憶装置に存在するかどうか判定する工程;
前記医用画像と関連付けられた重複する記述データが前記データ記憶装置に存在するかどうか判定する工程;および
重複する医用画像と重複する記述データとをマージする工程
を含む、本発明1001〜1037のいずれかの方法。
[本発明1039]
実行されると、コンピュータに、
医用画像表示装置上で取り込まれた医用画像を受け取ることと、
前記医用画像に関連した記述データを受け取ることと、
データ処理装置上で前記医用画像と前記医用画像に関連した前記記述データとを処理することと、
前記医用画像と前記医用画像に関連した前記記述データとをデータ記憶装置に記憶することと
を含む動作を実施させる命令を有するコンピュータ可読媒体を含む有形のコンピュータプログラム製品。
[本発明1040]
動作が、データ記憶装置内の医用画像と前記医用画像に関連した記述データとの間のデータ結合を作成することをさらに含む、本発明1039の有形のコンピュータプログラム製品。
[本発明1041]
動作が、医用画像を患者識別子にリンクすることをさらに含む、本発明1039〜1040のいずれかの有形のコンピュータプログラム製品。
[本発明1042]
動作が、医用画像を一つまたは複数のリンク可能な医用画像にリンクすることをさらに含む、本発明1039〜1041のいずれかの有形のコンピュータプログラム製品。
[本発明1043]
医用画像とリンク可能な医用画像とが共通の検査に従ってリンクされる、本発明1039〜1042のいずれかの有形のコンピュータプログラム製品。
[本発明1044]
医用画像と異なる検査からのリンク可能な医用画像とがリンク基準に従ってリンクされる、本発明1039〜1043のいずれかの有形のコンピュータプログラム製品。
[本発明1045]
動作が、医用画像を課金コードにリンクすることをさらに含む、本発明1039〜1044のいずれかの有形のコンピュータプログラム製品。
[本発明1046]
動作が、医用画像を含む複合医用報告書を生成することをさらに含む、本発明1039〜1045のいずれかの有形のコンピュータプログラム製品。
[本発明1047]
動作が、医用画像と前記医用画像にリンクされたリンク可能な医用画像のうちの少なくとも一つとを含む複合医用報告書を生成することをさらに含む、本発明1039〜1046のいずれかの有形のコンピュータプログラム製品。
[本発明1048]
動作が、患者の全放射線写真歴を構成する医用画像とリンク可能な各医用画像とを含む複合医用報告書を生成することをさらに含む、本発明1039〜1047のいずれかの有形のコンピュータプログラム製品。
[本発明1049]
複合医用報告書が、医用画像と前記医用画像に関連した記述データの少なくとも一部分とを含む表を含む、本発明1039〜1048のいずれかの有形のコンピュータプログラム製品。
[本発明1050]
複合医用報告書が、ホムンクルスを含むグラフィカルな報告書を含む、本発明1039〜1049のいずれかの有形のコンピュータプログラム製品。
[本発明1051]
複合医用報告書が、医用画像とリンク可能な医用画像のうちの少なくとも一つとを含むタイムラインを含むグラフィカルな報告書を含む、本発明1039〜1050のいずれかの有形のコンピュータプログラム製品。
[本発明1052]
医用画像表示装置が画像保管通信システム（PACS）を含む、本発明1039〜1051のいずれかの有形のコンピュータプログラム製品。
[本発明1053]
医用画像表示装置が、著作権のある医用画像データ形式に従って構成された医用画像を表示するように構成されている、本発明1039〜1052のいずれかの有形のコンピュータプログラム製品。
[本発明1054]
記述データが音声データを含む、本発明1039〜1053のいずれかの有形のコンピュータプログラム製品。
[本発明1055]
記述データがビデオデータを含む、本発明1039〜1054のいずれかの有形のコンピュータプログラム製品。
[本発明1056]
記述データがテキストを含む、本発明1039〜1055のいずれかの有形のコンピュータプログラム製品。
[本発明1057]
記述データが、
一つまたは複数の視線位置;および
一つまたは複数の視線停留時間
を含む視線追跡データを含む、本発明1039〜1056のいずれかの有形のコンピュータプログラム製品。
[本発明1058]
記述データが、ポインタ位置とポインタクリックとの少なくとも一方を含む、本発明1039〜1057のいずれかの有形のコンピュータプログラム製品。
[本発明1059]
医用画像を処理することが、診断画像構成部分を分離するために前記画像を自動的にトリミングすることを含む、本発明1039〜1058のいずれかの有形のコンピュータプログラム製品。
[本発明1060]
医用画像を処理することが、光学式文字認識（OCR）ユーティリティを用いて前記医用画像からテキスト情報を抽出することと、前記医用画像と関連付けられた前記抽出テキストをデータ記憶装置に記憶することとを含む、本発明1039〜1059のいずれかの有形のコンピュータプログラム製品。
[本発明1061]
データ処理装置上で医用画像を処理すること、およびデータ処理装置上で記述データを処理することが、前記画像の描写と前記記述データの描写とを有するグラフィカル・ユーザ・インターフェースを表示することと、前記画像を前記記述データとリンクするためのユーザコマンドを受け取ることとをさらに含む、本発明1039〜1060のいずれかの有形のコンピュータプログラム製品。
[本発明1062]
グラフィカル・ユーザ・インターフェースがタイムラインを含む、本発明1039〜1061のいずれかの有形のコンピュータプログラム製品。
[本発明1063]
サーバ上で画像を処理すること、およびサーバ上で記述データを処理することが、視線位置と視線停留時間との少なくとも一方に応答して前記画像を前記記述データと自動的にリンクすることをさらに含む、本発明1039〜1062のいずれかの有形のコンピュータプログラム製品。
[本発明1064]
動作が、特定の視線位置における視線停留時間が閾値に達したことに応答して画像取込みを自動的にトリガすることを含む、本発明1039〜1063のいずれかの有形のコンピュータプログラム製品。
[本発明1065]
動作が、医用画像の特徴と関連付けられる以前の検査所見を表示する半透明のポップアップウィンドウを表示することを含む、本発明1039〜1064のいずれかの有形のコンピュータプログラム製品。
[本発明1066]
医用画像を処理することが、前記医用画像に対して画像マッチングアルゴリズムを実行して、前記医用画像と関連付けられる一意のディジタル署名を生成することを含む、本発明1039〜1065のいずれかの有形のコンピュータプログラム製品。
[本発明1067]
医用画像を処理することが、自動定量化ツールを用いて前記医用画像の特徴を定量化することを含む、本発明1039〜1066のいずれかの有形のコンピュータプログラム製品。
[本発明1068]
医用画像を処理することが、一つまたは複数のリンク可能な画像と関連付けられた医用画像記述データにリンクされた複数のリンク可能な医用画像に応答して疾患進行を自動的に追跡することを含む、本発明1039〜1067のいずれかの有形のコンピュータプログラム製品。
[本発明1069]
医用画像を処理することが、前記医用画像と前記医用画像に関連した記述データとに応答して、固形腫瘍の効果判定基準（RECIST）値を自動的に計算することを含む、本発明1039〜1068のいずれかの有形のコンピュータプログラム製品。
[本発明1070]
医用画像を処理することが、前記医用画像の特徴と前記医用画像と関連付けられた記述データとに応答して病期を自動的に判定することを含む、本発明1039〜1069のいずれかの有形のコンピュータプログラム製品。
[本発明1071]
医用画像と関連付けられた記述データが前記医用画像と関連付けられたラベルを含む、本発明1039〜1070のいずれかの有形のコンピュータプログラム製品。
[本発明1072]
ラベルが医用画像の特徴と関連付けられる、本発明1039〜1071のいずれかの有形のコンピュータプログラム製品。
[本発明1073]
動作が、自然言語処理アルゴリズムに従って分離された音声クリップからラベルを決定することを含む、本発明1039〜1072のいずれかの有形のコンピュータプログラム製品。
[本発明1074]
動作が、画像に現れているテキストの光学式文字認識からラベルを決定することを含む、本発明1039〜1073のいずれかの有形のコンピュータプログラム製品。
[本発明1075]
動作が、ユーザから受け取られるコンピュータ入力からラベルを決定することを含む、本発明1039〜1074のいずれかの有形のコンピュータプログラム製品。
[本発明1076]
動作が、
重複する医用画像がデータ記憶装置に存在するかどうか判定することと、
前記医用画像と関連付けられた重複する記述データが前記データ記憶装置に存在するかどうか判定することと、
重複する医用画像と重複する記述データとをマージすることと
を含む、本発明1039〜1075のいずれかの有形のコンピュータプログラム製品。
[本発明1077]
実行されると、コンピュータに、
医用画像表示装置上で医用画像を取り込むことと、
前記医用画像に関連した記述データを取り込むことと、
前記医用画像と前記医用画像に関連した前記記述データとを、データ処理装置上で前記医用画像と前記医用画像に関連した前記記述データとを処理し、かつ前記医用画像と前記医用画像に関連した前記記述データとをデータ記憶装置に記憶するように構成された処理装置に伝達することと
を含む動作を実施させる命令を有するコンピュータ可読媒体を含む有形のコンピュータプログラム製品。
[本発明1078]
医用画像と前記医用画像に関連した記述データとを受け取るように構成されたインターフェースと、
前記医用画像と前記医用画像に関連した前記記述データとを処理するように構成された、前記インターフェースに結合された処理装置と、
前記医用画像と前記医用画像に関連した前記記述データとを記憶するように構成された、前記処理装置に結合されたデータ記憶インターフェースと
を含む装置。
[本発明1079]
本発明1039〜1076のいずれかの有形のコンピュータプログラム製品に記憶された命令に応答して動作を実施するように構成された一つまたは複数のソフトウェアで定義されたモジュールを含む、本発明1078の装置。
[本発明1080]
医用画像を表示するように構成された医用画像表示装置と、
前記医用画像を取り込むように構成された、前記医用画像表示装置に結合された画像取込みユーティリティと、
ユーザから記述データを収集するように構成されたユーザインターフェース装置と、
前記医用画像と前記医用画像に関連した前記記述データとを、データ処理装置上で前記医用画像と前記医用画像に関連した前記記述データとを処理し、かつ前記医用画像と前記医用画像に関連した前記記述データとをデータ記憶装置に記憶するように構成された処理装置に伝達するように構成された、画像取込み装置と前記ユーザインターフェース装置とに結合された通信アダプタと
を含む装置。
[本発明1081]
画像取込み装置が、画面取込み機能を装備するオペレーティングシステムを有する、表示装置に結合されたコンピュータを含む、本発明1080の装置。
[本発明1082]
医用画像表示装置が画像保管通信システム（PACS）を含む、本発明1080〜1081のいずれかの装置。
[本発明1083]
ユーザインターフェース装置が視線追跡装置を含む、本発明1080〜1082のいずれかの装置。
[本発明1084]
ユーザインターフェース装置がビデオカメラを含む、本発明1080〜1083のいずれかの装置。
[本発明1085]
ユーザインターフェース装置が音声記録装置を含む、本発明1080〜1084のいずれかの装置。
[本発明1086]
音声記録装置がトリガ構成部品を有する口述録音装置を含む、本発明1080〜1085のいずれかの装置。
[本発明1087]
本発明1077の有形のコンピュータプログラム製品に記憶された命令に応答して動作を実施するように構成された一つまたは複数のソフトウェアで定義されたモジュールを含む、本発明1080〜1086のいずれかの装置。
[本発明1086]
医用画像と前記医用画像に関連した記述データとを受け取るように構成されたインターフェースと、
前記医用画像と前記医用画像に関連した前記記述データとを処理するように構成された、前記インターフェースに結合された処理装置と、
前記医用画像と前記医用画像に関連した前記記述データとを記憶するように構成された、前記処理装置に結合されたデータ記憶インターフェースと
を含むサーバ;
前記医用画像と前記医用画像に関連した前記記述データとを受け取りかつ記憶するように構成された、前記データ記憶インターフェースに結合されたデータ記憶装置;ならびに
医用画像を表示するように構成された医用画像表示装置と、
前記医用画像を取り込むように構成された、前記医用画像表示装置に結合された画像取込みユーティリティと、
ユーザから記述データを収集するように構成されたユーザインターフェース装置と、
前記医用画像と前記医用画像に関連した前記記述データとを前記サーバに伝達するように構成された、前記画像取込み装置と前記ユーザインターフェース装置とに結合された通信アダプタと
を含み、前記サーバと前記データ記憶装置との少なくとも一方に結合された医用画像ビューア
を含むシステム。
[本発明1087]
本発明1039〜1077のいずれかの有形のコンピュータプログラム製品に記憶された命令に応答して動作を実施するように構成された一つまたは複数のソフトウェアで定義されたモジュールを含む、本発明1086のシステム。
[本発明1088]
医用画像ビューアに結合された医用撮像装置を含む、本発明1086〜1087のいずれかのシステム。
[本発明1089]
医用撮像装置がX線機器を含む、本発明1086〜1088のいずれかのシステム。
[本発明1090]
医用撮像装置がコンピュータ断層撮影（Computed Tomography）（CT）スキャナを含む、本発明1086〜1089のいずれかのシステム。
[本発明1091]
医用撮像装置が高周波（Radio Frequency）（RF）撮像装置を含む、本発明1086〜1090のいずれかのシステム。
[本発明1092]
医用撮像装置が磁気共鳴撮像（Magnetic Resonance Imaging）（MRI）機器を含む、本発明1086〜1091のいずれかのシステム。
[本発明1093]
医用撮像装置が超音波撮像装置を含む、本発明1086〜1092のいずれかのシステム。
[本発明1094]
医用画像である画像データを受け取るように構成されたPACSサーバをさらに含む、本発明1086〜1093のいずれかのシステム。
[本発明1095]
医用画像である画像データを記憶するように構成された、PACSサーバに結合されたPACSデータ記憶装置をさらに含む、本発明1086〜1094のいずれかのシステム。
[本発明1096]
医用画像と前記医用画像に関連した記述データとに応答してサーバによって生成される、患者の全放射線写真歴を単一のグラフィカルビューに含むメディアベースの報告書を受け取るように構成された報告書ビューアをさらに含む、本発明1086〜1095のいずれかのシステム。
他の特徴および関連付けられる利点は、以下の具体的態様の詳細な説明を添付の図面と関連付けて参照すれば明らかになるであろう。